(57)【要約】【課題】服薬日時等のスケジュール全般の設定管理及び報知表示を自動的に行うことができる時計式スケジュール管理装置を提供することにある。【解決手段】装置本体１と、この装置本体１に設けられ日時を表示する時計装置５と、この時計装置５に管理すべき所定のスケジュールを日時とともに設定する設定装置１０と、前記装置本体１に設けられ設定スケジュールの実行該当日時に到達したとき或いは実行該当日時の数時間前または数日前の実行予定日時になったときに音声や表示ランプ等の認識信号で報知すると共に該当スケジュールの内容を文字で表示する報知表示装置２０とを具備する構成とした。【選択図】  図１
2005251129.tif 000002
【特許請求の範囲】
【請求項１】
装置本体と、この装置本体に設けられ日時を表示する時計装置と、この時計装置に管理すべき所定のスケジュールを日時とともに設定する設定装置と、前記装置本体に設けられ設定スケジュールの実行該当日時に到達したとき或いは実行該当日時の数時間前または数日前の実行予定日時になったときに音声や表示ランプ等の認識信号で報知すると共に該当スケジュールの内容を文字で表示する報知表示装置とを具備してなることを特徴とする時計式スケジュール管理装置。
【請求項２】
前記装置本体は複数に区画されたスケジュールボックスを備え、この各スケジュールボックスに服用する医薬を日にち毎に区分して収納する構成となすと共に、各スケジュールボックス毎に表示ランプ等の認識信号を日時対応で発する報知装置を設けたことを特徴とする請求項１に記載の時計式スケジュール管理装置。
【請求項３】
前記スケジュールボックスは開閉蓋を有し、この各開閉蓋に前記報知表示装置を日にち毎に区分して設けたことを特徴とする請求項２に記載の時計式スケジュール管理装置。
【請求項４】
前記装置本体は複数に区分されたスケジュール表を備え、このスケジュール表の各区分欄にスケジュール内容を文字で表示するとともに認識信号で報知する前記報知表示装置を各区分欄毎に分離させて設けたことを特徴とする請求項１に記載の時計式スケジュール管理装置。
【発明の詳細な説明】
【技術分野】
【０００１】
この発明は所定のスケジュールを設定管理し、この設定スケジュールの実行該当日時或いは実行予定日時になったときに、該当スケジュールの内容が日時とともに報知表示される時計式スケジュール管理装置に関するものである。
【背景技術】
【０００２】
前記のようなスケジュールを管理するアイテムには、パソコンや携帯電話、システム手帳など身の回りに多くなってきたが、年をとってくるとそれらの機器機能もうまく使いこなせず、結局、一番身近な時計に頼った管理となってくる。
【発明の開示】
【発明が解決しようとする課題】
【０００３】
しかし、普通の時計は日時表示等の時計機能しか有しないものであり、服薬日時などのスケジュール全般の設定管理及び報知表示を簡単且つ正確に行ってくれるものは存在しない。
【０００４】
このため、例えば所定の薬を決められた日時に服用する場合、その管理は服薬者自身あるいは看護士等の管理依頼人が人為的に行なわざるを得ず、かかる人為的管理では服用日時を間違えたり、服用を忘れたり、薬を間違って服用したり、二重に服用したりする等の各種の問題を引き起こす危険性がある。
【０００５】
この発明は、前記事情に着目してなされたもので、その目的とするところは、服薬日時等のスケジュール全般の設定管理及び報知表示を自動的に行うことができる時計式のスケジュール管理装置を提供することにある。
【課題を解決するための手段】
【０００６】
この発明は、前記の目的を達成するために、請求項１は、装置本体と、この装置本体に設けられ日時を表示する時計装置と、この時計装置に管理すべき所定のスケジュールを日時とともに設定する設定装置と、前記装置本体に設けられ設定スケジュールの実行該当日時に到達したとき或いは実行該当日時の数時間前または数日前の実行予定日時になったときに音声や表示ランプ等の認識信号で報知すると共に該当スケジュールの内容を文字で表示する報知表示装置とを具備する構成とした。
【０００７】
請求項２は、前記請求項１において、装置本体が複数に区画されたスケジュールボックスを備え、この各スケジュールボックスに服用する医薬を日にち毎に区分して収納する構成となすと共に、各スケジュールボックス毎に表示ランプ等の認識信号を日時対応で発する報知装置を設けたことを特徴とする。
【０００８】
請求項３は、前記請求項２において、前記スケジュールボックスが開閉蓋を有し、この各開閉蓋に前記報知表示装置を日にち毎に区分して設けたことを特徴とする。
【０００９】
請求項４は、前記請求項１において、前記装置本体が複数に区分されたスケジュール表を備え、このスケジュール表の各区分欄にスケジュール内容を文字表示するとともに認識信号で報知する報知表示装置を各区分欄毎に分離させて設けたことを特徴とする。
【発明の効果】
【００１０】
請求項１及び請求項４に係る発明によれば、所定のスケジュールを日時とともに時計装置に設定して管理することができ、またこの設定スケジュールの実行該当日時或いはそれより前の実行予定日時において、その日時及び該当スケジュールの内容を音声や表示ランプ等の認識信号による報知と、該当スケジュール内容の文字表示とで自動的に知得することができる効果がある。
【００１１】
また請求項２及び請求項３に係る発明によれば、複数に区画されたスケジュールボックスに服用すべき医薬を日にち毎に区分収納して管理し、この区分収納の医薬を服用該当日時において、音声や表示ランプ等の認識信号による報知と、スケジュール内容の文字表示とで知徳し、該当ボックスから取出して正しく服用することができる効果があり、従来の人為的管理による問題点を全て解消することができる。
【発明を実施するための最良の形態】
【００１２】
以下、この発明の実施の形態を図面に従い具体的に説明する。
【００１３】
図１はこの発明の第１の実施形態であり、図中１は台部２と背側起立部３を有する装置本体で、この装置本体１の背側起立部３には日時を表示する時計表示部４を有した時計装置５が設けられている。
【００１４】
この時計装置５はスケジュール管理プログラム（図示せず）を内蔵して、各種の個人的なスケジュールを日時とともに設定管理し、その設定管理スケジュールを対応日時において後述する報知表示装置２０に送信指令できるように構成されている。
【００１５】
この時計装置５に内蔵されるスケジュール管理プログラム（図示せず）は、個人的に生じる日常のいろいろなスケジュールが予めインプットされたもので、必要に応じ収録した以外の項目も書き足せるようになっている。
【００１６】
前記プログラムにインプット／収録されるスケジュールの項目は、例えば社用では「会議、来客、出張、報告書提出」などであり、また個人的には前述した服薬では「朝の薬の時間です、昼の薬の時間です、夜の薬の時間です、食前に服用する、食後に服用する、食間に服用する、寝る前に服用する」などであり、その他日常のいろいろなスケジュールとしては各種の習い事、ショッピングの約束、子供の学校での会合、自治会の集会、ゴミ出し等であり、これらの項目のうち使用者が必要する所定のスケジュール項目を次に説明する設定装置１０で日時とともに設定して管理するように構成している。
【００１７】
前記設定装置１０は装置本体１に設けられ、その構成はこの実施例の場合、時計装置５内蔵のスケジュール管理プログラム（図示せず）にスケジュール実行の日付を設定する日付設定ボタン６と、スケジュール実行の時分を設定する時設定ボタン７ａ及び分設定ボタン７ｂと、前記プログラムに予めインプット／収録されているスケジュール項目を表示画面２１（後述する）に呼び出して設定するプログラムアップ・ダウンボタン８ａ，８ｂ及び項目設定ボタン９等を具備した構成になっている。
【００１８】
なお、前記設定装置１０はリモコン等の遠隔操作で設定する事も考えられるので、装置本体１に設けることについては限定されない。また、前記設定装置１０はスケジュール項目の設定について「前日に表示するか、当日に表示するか、一回に表示するか、複数回に表示するか」等を選択して設定することも、また報知方法について「音声で知らせるか、ランプ点灯で知らせるか、音声・ランプ点灯の両方で知らせるか」等を選択して設定することもできるようにしている。
【００１９】
前記装置本体１の台部１ａには、この実施例の場合、複数例えば１５区分に区画されたスケジュールボックス１１が設けられ、この各スケジュールボックス１１内に服用する医薬（実施例の場合は１５日分の医薬）を日にち毎に区分して収納するように構成すると共に、各スケジュールボックス毎に表示ランプ１２を図示の如く配設し、この表示ランプ１２が日時対応で点滅する（この指令は時計装置５から発せられる）ことにより、服薬すべき日時のスケジュールボックス１１を特定して、同ボックス収納の医薬を手で取出せるように構成している。
【００２０】
なお、前記スケジュールボックス１１は１５日分の医薬収納に対応すべく区画しているが、１週間分の医薬収納に対応すべく区画することも、１カ月分の医薬収納に対応すべく区画することも可能であり、この区画数については特に限定されるものではない。
【００２１】
前記報知表示装置２０は、設定スケジュールの実行該当日時に到達したとき或いは実行該当日時の数時間前または数日前の実行予定日時になったときに、音声や表示ランプ等の認識信号で報知すると共に、該当スケジュールの内容を文字で表示するものであって、この実施例の場合は、スケジュール実行該当日時（例えば４月２２日午前７時）において、時計装置５からの指令を受けて「朝の薬の時間です（食前に服用する）・今日３時から会議です・明日はゴルフの約束日です」といったような当日及び実行予定日の該当スケジュールの内容が文字表示される表示画面２１（装置本体１の背側起立部３に設けられている）と、装置本体１の背側起立部３に設けられ前記のようなスケジュール内容を音声で報知する報知器２２と、服薬すべき日時のスケジュールボックス１１を指定するように日時対応で点滅する前記表示ランプ１２とから構成される。
【００２２】
なお、前記実施例の場合、スケジュール該当日時において、当日及び実行予定日の該当スケジュールの内容を表示画面２１に文字表示するとともに報知器２２からの音声信号で報知し且つ服薬すべき日時のスケジュールボックス１１を表示ランプ１２の点滅で指定するようにしているが、このような報知表示動作をスケジュール実行該当日時の数時間前または数日前に行なうように設定することも可能である。
【００２３】
図２はこの発明の請求項３に対応する他の実施例を示すもので、スケジュールボックス１１の各区画開口部に手動的に開閉される開閉蓋１３を設け、この各開閉蓋１３にボックス収納の薬を服用時間或いはその数時間前に報知表示する報知表示装置（図示せず）を日にち毎に区分して設けている。
【００２４】
なお、各開閉蓋１３に設けられる報知表示装置は、図面では省略しているが、開閉蓋１３を押閉したときに開閉スイッチ１４の閉成でインプットされて、服薬日時になったときまたはその数時間前になったときに、時計装置５からの指令で報知表示動作するように設定される。
【００２５】
図３はこの発明の請求項４に対応する別の実施例を示すもので、装置本体１が複数例えば１ヶ月分に区分されたスケジュール表１６を有する画面表示板１５を備え、このスケジュール表１６の画面表示可能な各区分欄に設定スケジュールの項目内容を文字表示（この指令は時計装置５から発せられる）すると共に、設定スケジュールの実行該当日の区分欄を各区分欄毎に配設した表示ランプ１２の点灯で報知するように構成している。
【００２６】
その他の構成と作用は、前述した実施例と略同様なものであるから、同一部分に同符号を付して詳細な説明は省略する。
【００２７】
なお、この発明は前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００２８】
【図１】この発明の第１の実施形態を示す時計式スケジュール管理装置の外観斜視図。
【図２】この発明の第２の実施形態を示す要部斜視図。
【図３】この発明の第３の実施形態を示す時計式スケジュール管理装置に外観斜視図。
【符号の説明】
【００２９】
１…装置本体、５…時計装置、６…日付設定ボタン、７ａ…時設定ボタン、７ｂ…分設定ボタン、８ａ…プログラムアップボタン、８ｂ…プログラムダウンボタン、９…項目設定ボタン、１０…設定装置、１１…スケジュールボックス、１２…表示ランプ、１３…開閉蓋、１５…画面表示板、１６…スケジュール表、２０…報知表示装置、２１…表示画面、２２…報知器。
【図１】
2005251129.tif 000003
【図２】
2005251129.tif 000004
【図３】
2005251129.tif 000005